(57)【要約】【課題】セキュリティゲート及びエレベータ運行制御装置への処理負荷を低減しつつ、利用者に適切なエレベータへの搭乗を案内し得る入退管理装置を提供すること。【解決手段】実施形態の入退管理装置は、記憶手段が、前記エレベータの利用者を識別するＩＤ番号と、当該利用者の行先階を示す行先階情報とを関連付けて記憶する。受信手段が、前記送信された配車情報テーブルを受信する。読出手段が、前記セキュリティカードが近づけられると、当該セキュリティカードからＩＤ番号を読取ると共に、当該ＩＤ番号に一致する前記記憶手段内のＩＤ番号に関連付けられた前記行先階情報を前記記憶手段から読出す。表示手段が、前記読出された行先階情報と、前記受信された配車情報テーブル内の配車先情報とを照合し、当該行先階情報により示される値と一致する値をもつ配車先情報に関連付けられた号機番号を表示する。【選択図】図１
2013035652.tif 000002
【特許請求の範囲】
【請求項１】
複数号機のエレベータの配車を制御し、一定時間毎に、前記各号機を識別する号機番号と前記各号機の配車先の階を示す配車先情報とを関連付けた配車情報テーブルを送信するエレベータ運行制御装置に接続し、前記エレベータの利用者を識別するＩＤ番号を記憶して当該利用者に保持されたセキュリティカードが近づけられると、当該利用者を通過させる入退ゲート装置に設けられた入退管理装置であって、
前記エレベータの利用者を識別するＩＤ番号と、当該利用者の行先階を示す行先階情報とを関連付けて記憶する記憶手段と、
前記送信された配車情報テーブルを受信する受信手段と、
前記セキュリティカードが近づけられると、当該セキュリティカードからＩＤ番号を読取ると共に、当該ＩＤ番号に一致する前記記憶手段内のＩＤ番号に関連付けられた前記行先階情報を前記記憶手段から読出す読出手段と、
前記読出された行先階情報と、前記受信された配車情報テーブル内の配車先情報とを照合し、当該行先階情報により示される値と一致する値をもつ配車先情報に関連付けられた号機番号の表示処理を実行する表示手段と
を備えたことを特徴とする入退管理装置。
【請求項２】
請求項１に記載の入退管理装置において、
前記配車情報テーブルは、前記号機番号と、前記配車先情報と、前記号機番号毎の複数の配車先順序とが関連付けられており、
前記表示手段は、前記一致する値をもつ配車先情報に関連付けられた前記配車先順序のうちの最先の配車先順序に関連付けられた直発の号機番号、及び前記最先の配車先順序の次の配車先順序に関連付けられた次発の号機番号の表示処理を実行することを特徴とする入退管理装置。
【請求項３】
請求項１に記載の入退管理装置であって、
前記エレベータ運行制御装置による前記配車の制御に用いられる階別通過人数情報テーブルであって、前記行先階情報と、当該行先階情報により示される階に向かう利用者の人数を示す通過人数情報とを関連付けた前記階別通過人数情報テーブルを生成し、前記利用者が前記入退ゲート装置を通過すると、当該利用者の行先階を示す行先階情報に関連付けられた通過人数情報の値を１つ増やすことで前記生成された階別通過人数情報テーブルを更新する更新手段と、
一定時間毎に、前記更新された階別通過人数情報テーブルを前記エレベータ運行制御装置に送信する送信手段と、
を更に備えたことを特徴とする入退管理装置。
【請求項４】
請求項３に記載の入退管理装置であって、
前記エレベータ運行制御装置に前記階別通過人数情報テーブルを送信するタイミングを示す送信周期を予め設定し、前記送信周期をむかえる毎に、前記送信手段及び前記更新手段に当該送信周期をむかえたことを通知する通知手段
を更に備え、
前記更新手段は、
前記通知手段からの通知を受けると、前記更新された階別通過人数情報テーブルを前記送信手段が送信した後、当該更新された階別通過人数情報テーブル内の通過人数情報の値をリセットするリセット手段
を備えたことを特徴とする入退管理装置。
【発明の詳細な説明】
【技術分野】
【０００１】
本発明の実施形態は、入退管理装置に関する。
【背景技術】
【０００２】
現在、高層ビルに設置されたエレベータについては、エレベータホール毎に停止階が異なるため、どのエレベータホールに行けば所望の行先階に停止するエレベータに搭乗できるかが分からないという不都合がある。これに対し、エレベータの利用が許可された者（以下、利用者ともいう）に配布されるセキュリティカードと、このセキュリティカードによって開閉するセキュリティゲートとを用いた行先経路案内技術が開発されている。なお、セキュリティカードには、当該利用者の行先階を示す行先階情報が予め記録されている。セキュリティゲートには、カードリーダ及び案内制御装置がそれぞれ設けられている。
【０００３】
このような行先経路案内技術としては、例えば、セキュリティゲートのカードリーダにセキュリティカードが近づけられると、カードリーダがセキュリティカードから行先階情報を読出し、この行先階情報に応じて、セキュリティゲートの案内制御装置が所望のエレベータホールを選定し、当該選定されたエレベータホールまでの経路を案内する方式が知られている。
【０００４】
しかしながら、このような行先経路案内技術では、例えば朝の出勤時等、多数の利用者の行先階情報が同じ場合に、選定されたエレベータホールが混雑し、エレベータに搭乗できない利用者が増える可能性がある。
【０００５】
そのため、カードリーダにセキュリティカードが近づけられる度に、セキュリティカード内の行先階情報に基づくエレベータの配車依頼をエレベータ運行制御装置に送出し、この配車依頼に応じて返信されたエレベータの号機番号を利用者に案内する配車案内技術が考案されている。
【先行技術文献】
【特許文献】
【０００６】
【特許文献１】特開２００７−３２０７５８号公報
【発明の概要】
【発明が解決しようとする課題】
【０００７】
しかしながら、上記配車案内技術では、セキュリティカードがカードリーダに近づけられる度に、セキュリティゲートとエレベータ運行制御装置との間で配車依頼と号機番号の通信が実行されるため、セキュリティゲート及びエレベータ運行制御装置の処理負荷が高いという不都合がある。
【０００８】
本発明が解決しようとする課題は、セキュリティゲート及びエレベータ運行制御装置の処理負荷を低減しつつ、利用者に適切なエレベータへの搭乗を案内し得る入退管理装置を提供することである。
【課題を解決するための手段】
【０００９】
実施形態の入退管理装置は、複数号機のエレベータの配車を制御し、一定時間毎に、前記各号機を識別する号機番号と前記各号機の配車先の階を示す配車先情報とを関連付けた配車情報テーブルを送信するエレベータ運行制御装置に接続し、前記エレベータの利用者を識別するＩＤ番号を記憶して当該利用者に保持されたセキュリティカードが近づけられると、当該利用者を通過させる入退ゲート装置に設けられる。
【００１０】
前記入退管理装置において、記憶手段が、前記エレベータの利用者を識別するＩＤ番号と、当該利用者の行先階を示す行先階情報とを関連付けて記憶する。
【００１１】
前記入退管理装置において、受信手段が、前記送信された配車情報テーブルを受信する。
【００１２】
前記入退管理装置において、読出手段が、前記セキュリティカードが近づけられると、当該セキュリティカードからＩＤ番号を読取ると共に、当該ＩＤ番号に一致する前記記憶手段内のＩＤ番号に関連付けられた前記行先階情報を前記記憶手段から読出す。
【００１３】
前記入退管理装置において、表示手段が、前記読出された行先階情報と、前記受信された配車情報テーブル内の配車先情報とを照合し、当該行先階情報により示される値と一致する値をもつ配車先情報に関連付けられた号機番号の表示処理を実行する。
【図面の簡単な説明】
【００１４】
【図１】一実施形態に係るエレベータシステムの構成例を示す模式図である。
【図２】同実施形態における登録情報テーブルの構成例を示す模式図である。
【図３】同実施形態における行先階情報テーブルの構成例を示す模式図である。
【図４】同実施形態における配車情報テーブルの構成例を示す模式図である。
【図５】同実施形態における階別通過人数情報テーブルの構成例を示す模式図である。
【図６】同実施形態におけるエレベータシステムの構成の変形例を示す模式図である。
【図７】同実施形態における入退管理装置の動作の一例を示すフローチャートである。
【図８】同実施形態における入退ゲート装置の表示装置の画面例を示す模式図である。
【図９】同実施形態における入退ゲート装置の表示装置の画面例を示す模式図である。
【発明を実施するための形態】
【００１５】
図１は、一実施形態に係る入退管理装置を含むエレベータシステムの構成例を示す模式図であり、図２〜図４は、入退管理装置内の記憶部に記憶される各テーブルの構成例を示す模式図である。
【００１６】
このエレベータシステム１は、複数台のエレベータ１０〜１２、エレベータ運行制御装置２０、及び入退ゲート装置３０を備えている。なお、エレベータが複数台ある場合には「号機」と言う呼び方もする。
【００１７】
エレベータ運行制御装置２０は、建物内に設置された複数台のエレベータの配車を制御しており、一定時間毎に、後述する配車情報テーブルを入退ゲート装置３０に送信する機能をもっている。また、エレベータ運行制御装置２０は、一定時間毎に、後述する階別通過人数情報テーブルを入退ゲート装置３０から受信する機能をもっている。
【００１８】
なお、エレベータ運行制御装置２０の機能の詳細な説明は後述するものとする。
【００１９】
ここで、入退ゲート装置３０は、エレベータの利用者に保持されたセキュリティカードが近づけられると、当該利用者を通過させるゲート装置であり、入退管理装置３１及び表示装置３９を含んでいる。
【００２０】
ここで、入退管理装置３１は、記憶部３２、通信部３３、読取部３４、メモリアクセス部３５、表示部３６、計数部３７及び時計部３８を備えている。
【００２１】
記憶部３２は、メモリアクセス部３５によって読出／書込可能なデータベースであり、エレベータの利用者を識別するＩＤ番号と、当該利用者の行先階を示す行先階情報とを関連付けて記憶している。具体的には、記憶部３２は、図２〜図４に一例を示すように、登録情報テーブル３２ａ、行先階情報テーブル３２ｂ及び配車情報テーブル３２ｃを記憶している。
【００２２】
登録情報テーブル３２ａは、図２に示す如き、ＩＤ番号と部課コードとを関連付けて記憶している。ＩＤ番号は、エレベータの利用が許可された者（以下、「エレベータ利用者」と呼ぶ）に対して配布されるセキュリティカード４０に予め記録されており、エレベータ利用者を識別するための番号を示す。部課コードは、エレベータ利用者が所属する部及び課を識別するための任意の文字列を示す。「部課コード」が示す「部課」は、エレベータ利用者の行先階に存在する「行先」の一例である。このため、「部課」の語は、「行先」と読み替えてもよい。
【００２３】
行先階情報テーブル３２ｂは、図３に示す如き、部課コードと行先階情報とを関連付けて記憶している。行先階情報は、関連付けられた部課コードにより示される部及び課に所属するエレベータ利用者の行先階（すなわち、部課コードにより示される部及び課が設けられている階）を示す。
【００２４】
但し、行先階情報テーブル３２ｂは、登録情報テーブル３２ａと一体化させて、ＩＤ番号と部課コードと行先階情報とを関連付けて記憶しているように変形してもよい。また、行先階情報テーブル３２ｂは、この変形例から部課コードを省略することにより、ＩＤ番号と行先階情報とを関連付けて記憶しているように変形してもよい。
【００２５】
配車情報テーブル３２ｃは、図４に示す如き、号機番号と、配車先情報と、号機番号毎の配車先順序とを関連付けて記憶している。号機番号は各号機を識別する番号を示し、配車先情報は各号機の配車先の階（すなわち、各号機が停止する階）を示す。号機番号毎の配車先順序は、当該号機番号に関連付けられた配車先情報が示す階の順番を示している。例えば、号機番号“＃０１”の場合、配車先順序“１”の配車先情報が“２Ｆ”であり、配車先順序“２”の配車先情報が“６Ｆ”であるので、＃０１号機は、１番目（＝最初）に２Ｆ（＝２階）に配車され、１階のエレベータホールに戻って新たな利用者を搭乗させた後、２番目（＝次）に６Ｆ（＝６階）に配車される。なお、号機番号毎の配車先順序は、任意の付加的事項であり、例えば次発を考慮しない場合などには省略可能である。配車先順序を省略する場合、図４に示した配車情報テーブル３２ｃは、配車先順序の列と、配車先順序“２”の行とが省略される。また、配車先順序は、直発と次発の２つの場合には、次発を表す次発フラグと読み替えてもよい。この場合、配車先順序“１”を次発フラグ“０”と読み替え、配車先順序“２”を次発フラグ“１”と読み替えることになる。但し、次発フラグ（又は直発フラグ）と読み替えたとしても、この読み替え例は、配車先順序を表すことに変わりはないので、配車先順序の概念に包含される。なお、「直発」の語は、「直出発」又は「先発」等と呼んでもよい。
【００２６】
通信部３３は、例えばネットワークを介して、エレベータ運行制御装置２０に接続されており、一定時間毎に、配車情報テーブル３２ｃをエレベータ運行制御装置２０から受信し、当該受信した配車情報テーブル３２ｃをメモリアクセス部３５に受け渡す機能をもっている。また、通信部３３は、一定時間毎に、後述する階別通過人数情報テーブルをエレベータ運行制御装置２０に送信する機能をもっている。
【００２７】
読取部３４は、セキュリティカード４０（例えば、非接触方式ＩＣカード等）が近づけられると、このセキュリティカード４０からＩＤ番号を読取る機能をもっている。また、読取部３４は、当該読取られたＩＤ番号が登録情報テーブル３２ａ内に記憶されたＩＤ番号であるか否かを判定する機能をもっている。また、読取部３４は、当該読取られたＩＤ番号と登録情報テーブル３２ａ内に予め登録されたＩＤ番号とを照合し、当該読出されたＩＤ番号が登録情報テーブル３２ａ内に記憶されたＩＤ番号であるか否かを判定する機能をもっている。
【００２８】
なお、本実施形態では、セキュリティカード４０は、非接触方式ＩＣカード（例えば、ＲＦＩＤ（Radio Frequency IDentification）カード等）であるとしたが、これに限定されず、例えば、磁気カード等が適用可能である。セキュリティカード４０は、エレベータの利用を許可された者（エレベータの利用者）を識別するＩＤ番号を記憶し、当該利用者に保持されるカードである。
【００２９】
メモリアクセス部３５は、通信部３３を介して受信された配車情報テーブル３２ｃを号機番号を主体とした並び順から配車先情報（行先階）を主体とした並び順に変換した後に、記憶部３２に書込む機能をもっている。なお、図４中、号機番号“−”は、該当する号機番号が無い旨を表す。また、メモリアクセス部３５は、読取部３４により読み取られたＩＤ番号に一致する記憶部３２内の行先階情報を読出す機能をもっている。本実施形態の例では、メモリアクセス部３５は、読取部３４により読み取られたＩＤ番号に関連付けられた部課コードを登録情報テーブル３２ａから読出すと共に、当該読出した部課コードに関連付けられた行先階情報を行先階情報テーブル３２ｂから読出す機能をもっている。更に、メモリアクセス部３５は、読出された行先階情報と、配車情報テーブル３２ｃ内の配車先情報とを照合し、当該行先階情報により示される階と一致する配車先情報に関連付けられた号機番号を配車情報テーブル３２ｃから読出す機能をもっている。なお、メモリアクセス部３５は、直発と次発の号機番号を表示させたい場合、当該一致する値をもつ配車先情報に関連付けられた配車先順序のうちの最先の配車先順序に関連付けられた直発の号機番号、及び当該最先の配車先順序の次の配車先順序に関連付けられた次発の号機番号を配車情報テーブル３２ｃから読出す機能をもっている。
【００３０】
表示部３６は、メモリアクセス部３５により読出された号機番号の表示処理を実行する機能と、当該実行により得られた号機番号の表示画面データを入退ゲート装置３０に設けられた表示装置（例えば、液晶パネル等）３９に表示させる機能をもっている。
【００３１】
なお、表示画面データとしては、例えば、予め任意の号機番号を挿入可能な雛形の画面データを保持しておき、当該雛形の画面データに対し、メモリアクセス部３５により読出された号機番号を挿入することにより、生成可能となっている。
【００３２】
ここで、表示画面データは、直発の号機番号のみの場合に限らず、直発と次発の号機番号を表示する場合に適用させてもよい。直発と次発の号機番号を表示する場合、表示画面データは、直発の号機番号及び次発の号機番号を個別に挿入可能な雛形の画面データにより、生成すればよい。また、表示部３６は、直発と次発の号機番号の表示処理を実行する場合、メモリアクセス部３５により読出された直発の号機番号と次発の号機番号とを当該雛形の画面データに挿入することにより、表示画面データを生成すればよい。
【００３３】
計数部３７は、図５に示す如き、階別通過人数情報テーブル３７ａを生成し、一定時間毎に、この階別通過人数情報テーブル３７ａを通信部３３に受け渡す機能をもっている。階別通過人数情報テーブル３７ａは、エレベータ運行制御装置２０による配車の制御に用いられる情報テーブルであり、図５に示す如き、行先階情報と、通過人数情報と、行先階情報毎の通過期間順序とを関連付けて記憶している。通過人数情報は、関連付けられた行先階情報により示される階に向かうエレベータ利用者の人数を示す。行先階情報毎の通過期間順序は、複数の通過期間を設けて各々の通過期間ごとに通過人数を計数する場合に用いられる情報であり、行先階に向かう利用者が入退ゲート装置３０を通過した通過期間の順序を示している。例えば、行先階情報“１Ｆ”の場合、通過期間順序“１”の通過人数情報が“０５”であり、通過期間順序“２”の通過人数情報が“００”であるので、１階に行く利用者は、１番目の期間中が５人であり、２番目の期間中が０人である。なお、行先階情報毎の通過期間順序は、任意の付加的事項であり、例えば前回の階別通過人数テーブル３７ａを保存しておく場合などには（前回の階別通過人数情報テーブル３７ａと、今回の階別通過人数情報テーブル３７ａとを比較すれば通過人数の増減傾向が分かることから）省略可能である。通過期間順序を省略する場合、図５に示した階別通過人数情報テーブル３７ｃは、通過期間順序の列と、通過期間順序“２”の行とが省略される。
【００３４】
また、計数部３７は、例えば図示しないセンサ（図示せず）等によりエレベータ利用者が入退ゲート装置３０を通過したことが確認されると、階別通過人数情報テーブル３７ａにおいて、このエレベータ利用者の行先階を示す行先階情報に関連付けられた通過人数情報の値を１つ増やす計数機能をもっている。
【００３５】
時計部３８は、通信部３３を介して受信される配車情報テーブル３２ｃの受信周期（例えば、何秒毎に配車情報テーブルを受信するか）を予め設定し、当該設定された受信周期をむかえる毎に、受信周期をむかえたことを通信部３３に通知する機能をもっている。また、時計部３８は、通信部３３を介して送信される階別通過人数情報テーブル３７ａの送信周期（例えば、何秒毎に階別通過人数情報テーブルを送信するか）を予め設定し、当該設定された送信周期をむかえる毎に、送信周期をむかえたことを通信部３３及び計数部３７に通知する機能をもっている。なお、受信周期をむかえたことの通知は、任意の付加的事項であり、省略可能となっている。
【００３６】
なお、計数部３７は、時計部３８からの通知を受けると、階別通過人数情報テーブル３７ａ内の通過人数情報の値をリセットする機能をもっている。
【００３７】
表示装置３９は、表示部３７による表示処理の実行結果を表示可能な装置であり、例えば、表示部３７から当該実行結果として送出された表示画面データを表示する機能をもっている。
【００３８】
ここで、エレベータ運行制御装置２０の機能を詳細に説明する。
【００３９】
エレベータ運行制御装置２０は、前述したように階別通過人数情報テーブル３７ａを入退ゲート装置３０内の入退管理装置３１から受信すると、当該受信した階別通過人数情報テーブル３７ａ内の通過人数情報により示される値が増加傾向にある階に対しては配車する号機の数を増やし、この階別通過人数情報テーブル３７ａ内の通過人数情報により示される値が減少傾向にある階に対しては配車する号機の数を減らす調整機能をもっている。
【００４０】
例えば、最初に受信した階別通過人数情報テーブルでは所定の行先階情報に関連付けられた通過人数情報により示される値が１人であったにも関わらず、この１０秒後に再度受信した階別通過人数情報テーブルでは当該行先階情報に関連付けられた通過人数情報により示される値が１０人となり、更にこの１０秒後に受信した階別通過人数情報テーブルでは当該行先階情報に関連付けられた通過人数情報により示される値が２０人となる場合を想定する。この場合、エレベータ運行制御装置２０の調整機能は、当該行先階情報に関連付けられた通過人数情報により示される値（すなわち、当該行先階情報により示される階に向かうエレベータ利用者の数）が増加傾向にあるとみなし、当該行先階情報により示される階に向かう号機を複数台配車する。但し、エレベータ運行制御装置２０は、最初の１人のエレベータ利用者のために複数号機を配車するのではなく、当該行先階情報により示される階に向かう２０人のエレベータ利用者のために複数号機を配車するため、複数号機を配車する処理に加えて、エレベータ内の人数が所定の人数に達するまで１階でエレベータを待機させる制御処理も実行する。
【００４１】
なお、本実施形態では、エレベータ内の人数が所定の人数に達するまで１階でエレベータを待機させる制御処理を実行するとしたが、これに限定されず、例えば、エレベータ内の重量が所定の重量に達するまで１階でエレベータを待機させる制御処理等が適用可能である。
【００４２】
また、本実施形態では、エレベータシステム１は、図２に示すようなシステム構成を示すとしたが、図６に一例を示すように、停止階を限定するためにバンク（ＢＫ）分けされた複数台のエレベータ、エレベータ運行制御装置２０、及び入退ゲート装置３０を備える構成であってもよい。この場合、配車情報テーブル３２ｃ内の号機番号の十の位の値によってバンクを識別することができ、例えば、号機番号が「＃０１」を示すときはバンク番号「ＢＫ０」を示している。
【００４３】
次に、以上のように構成された入退管理装置の動作の一例について、図７のフローチャートを参照しながら説明する。
【００４４】
始めに、読取部３４は、セキュリティカード４０が近づけられると、このセキュリティカード４０に予め記録されたＩＤ番号を読取る（ステップＳ１０１）。ここでは、読取部３４は、ＩＤ番号「Ａ０００１」をセキュリティカード４０から読取るものとする。
【００４５】
続いて、読取部３４は、当該読取られたＩＤ番号「Ａ０００１」と登録情報テーブル３２ａ内のＩＤ番号とを照合し、ＩＤ番号「Ａ０００１」が登録情報テーブル３２ａ内に予め登録されたＩＤ番号であるか否かを判定する（ステップＳ１０２）。なお、ステップＳ１０２の判定の結果が否を示す場合（ステップＳ１０２：「未登録」）には、入退ゲート装置３０はゲートの開処理を実行せずに、ステップＳ１０１の処理に戻る。
【００４６】
ステップＳ１０２の判定の結果が登録されたＩＤ番号である旨を示す場合（ステップＳ１０２：「登録」）には、メモリアクセス部３５は、ＩＤ番号「Ａ０００１」に関連付けられた部課コード「ＢＣ１」を登録情報テーブル３２ａから読出す（ステップＳ１０３）。
【００４７】
次に、メモリアクセス部３５は、当該読出された部課コード「ＢＣ１」に関連付けられた行先階情報「７Ｆ」を行先階情報テーブル３２ｂから読出す（ステップＳ１０４）。
【００４８】
続いて、メモリアクセス部３５は、当該読出された行先階情報「７Ｆ」に関連付けられた号機番号「＃０２（すなわち、２号機）」を行先階情報テーブル３２ｂから読出す（ステップＳ１０５）。
【００４９】
次に、表示部３６は、図８に示すように、当該読出された号機番号「２号機」を入退ゲート装置３０の表示装置３９に表示させる（ステップＳ１０６）。なお、ここでは、直発の号機番号のみを表示装置３９に表示させるとしたが、これに限定されず、例えば、図９に示すように、表示装置３９の上段に直発の号機番号を表示させ、下段に次発の号機番号を表示させることも可能である。
【００５０】
続いて、計数部３７は、入退ゲート装置３０に設けられた図示しないセンサによりエレベータ利用者がゲートを通過したか否かを判定する（ステップＳ１０７）。この判定の結果が通過した旨を示す場合（ステップＳ１０７：「通過した」）には、計数部３７は、階別通過人数情報テーブル３７ａ内の行先階情報「７Ｆ」に関連付けられた通過人数情報の値を１つ増やす（ステップＳ１０８）。なお、ステップＳ１０７の判定の結果が否を示す場合（ステップＳ１０７：「通過しない」）には、所定の時間が経過した後に、タイムアウトとなり、入退管理装置３１は、ステップＳ１０１の処理に戻る。
【００５１】
次に、時計部３８は、配車情報テーブル３２ｃの受信周期及び階別通過人数情報テーブル３７ａの送信周期であるか否かを判定する（ステップＳ１０９）。なお、受信周期と送信周期は、図７中、通信周期と表している。ステップＳ１０９の判定の結果が否を示す場合（ステップＳ１０９：「通信周期でない」）には、ステップＳ１０１の処理に戻る。
【００５２】
ステップＳ１０９の判定の結果が通信周期である旨を示す場合（ステップＳ１０９：「通信周期である」）には、時計部３８は、受信周期をむかえたことを通信部３３に、送信周期をむかえたことを通信部３３及び計数部３７に通知する（ステップＳ１１０）。
【００５３】
しかる後に、通信部３３は、配車情報テーブル３２ｃをエレベータ運行制御装置２０から受信し、かつ階別通過人数情報テーブル３７ａをエレベータ運行制御装置２０に送信した後に（ステップＳ１１１）、ステップＳ１０１の処理に戻る。
【００５４】
以上説明した一実施形態によれば、一定時間毎に、階別通過人数情報テーブル３７ａをエレベータ運行制御装置２０に送信し、また、一定時間毎に、配車情報テーブル３２ｃをエレベータ運行制御装置２０から受信し、この配車情報テーブル３２ｃからセキュリティカード４０に予め記録されたＩＤ番号に応じたエレベータの号機番号を読出し、当該読出された号機番号を表示装置３９に表示させる構成により、入退ゲート装置及びエレベータ運行制御装置への処理負荷を低減しつつ、エレベータ利用者に適切なエレベータへの搭乗を促すことができる。
【００５５】
補足すると、退室時においても、計数部３７で退室時の階別通過人数情報テーブル３７ａを生成することで、退室者が増加傾向にある階を割り出すことが可能であり、この階別通過人数情報テーブル３７ａをエレベータ運行制御装置２０に送信することで、退室者が増加傾向にある階に複数の号機を配車することができる。
【００５６】
また、エレベータ利用者が所属する部及び課が設けられた階とは別の階で会議等がある場合においても、記憶部３２内の登録情報テーブル３２ａの部課コードを予め変更しておくことで、エレベータ利用者は適切な号機番号の表示をいつでも受けることができ、適切な号機に搭乗することができる。更に、登録情報テーブル３２ａの部課コードを予め変更しておくのではなく、ＩＤ番号、行先階情報及び時間情報を含む事前情報を記憶部３２に予め登録することで、エレベータ利用者は、時間情報により示される時間に該当する場合に、事前情報内の行先階情報により示される階に向かう号機番号の表示を受けることができる。
【００５７】
また、以上のような構成に加え、記憶部３２内の配車情報テーブル３２ｃを読出して表示する配車情報表示装置をエレベータホールに設けることにより、エレベータ利用者が入退ゲート装置３０を通過後、別のエレベータ利用者と会話等をすることで表示装置３９に表示された号機に搭乗できない場合や表示装置３９に表示された号機の配車先とは別の階に向かう場合においても、エレベータ利用者は配車情報表示装置を参照して、適切な号機に搭乗することができる。
【００５８】
さらに、入退管理装置３１に接続され、読取部３４、メモリアクセス部３５及び表示部３６の機能をもつカードリーダと、カードリーダからの情報を表示可能な号機番号表示装置とをエレベータホールに設けることにより、エレベータ利用者はセキュリティカードを当該カードリーダに近づける度に、自身が所属する部及び課が設けられた階に停止する号機をエレベータホールにいても確認でき、適切な号機に搭乗することができる。
【００５９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…エレベータシステム、１０，１１，１２…エレベータ、２０…エレベータ運行制御装置、３０…入退ゲート装置、３１…入退管理装置、３２…記憶部、３２ａ…登録情報テーブル、３２ｂ…行先階情報テーブル、３２ｃ…配車情報テーブル、３３…通信部、３４…読取部、３５…メモリアクセス部、３６…表示部、３７…計数部、３７ａ…階別通過人数情報テーブル、３８…時計部、３９…表示装置、４０…セキュリティカード。
【図１】
2013035652.tif 000003
【図２】
2013035652.tif 000004
【図３】
2013035652.tif 000005
【図４】
2013035652.tif 000006
【図５】
2013035652.tif 000007
【図６】
2013035652.tif 000008
【図７】
2013035652.tif 000009
【図８】
2013035652.tif 000010
【図９】
2013035652.tif 000011